【手続補正書】
【提出日】平成19年10月30日(2007.10.30)
【手続補正１】
【補正対象書類名】明細書
【補正対象項目名】特許請求の範囲
【補正方法】変更
【補正の内容】
【特許請求の範囲】
【請求項１】
複数の電子機器を有する通信システムであって、
ＩＥＥＥ１３９４．３で定められたイニシエータの役割をはたすイニシエータ機器が、
ＩＥＥＥ１３９４．３で定められたバージョンのエントリの値を持つ第１のユニットディレクトリと、
ＩＥＥＥ１３９４．３で定められた値とは異なるバージョンのエントリの値を持つ第２のユニットディレクトリと
を備え、
ＩＥＥＥ１３９４．３で定められたターゲットの役割を果たすターゲット機器が、
前記イニシエータ機器が提供しているサービスを知るために、前記イニシエータ機器が備えている前記第１のユニットディレクトリと前記第２のユニットディレクトリの少なくとも１つを読み取る読み取り手段と、
前記読み取り手段によって前記第１のユニットディレクトリ又は前記第２のユニットディレクトリが読み取られた場合、読み取られたユニットディレクトリのバージョン以外のエントリをＩＥＥＥ１３９４．３の規定にしたがって解析する解析手段と
を備えることを特徴とする通信システム。
【請求項２】
前記ターゲット機器は、前記読み取り手段によって読み取られたユニットディレクトリのバージョンのエントリの値が０か１かを判定する判定手段を更に有することを特徴とする請求項１に記載の通信システム。
【請求項３】
前記ターゲット機器は、前記読み取り手段で読み取られたユニットディレクトリにディレクトリＩＤのエントリがあるかどうか判定し、もし当該ユニットディレクトリがディレクトリＩＤのエントリを含んでいれば、その値を取り出すことを特徴とする請求項２に記載の通信システム。
【請求項４】
前記ターゲット機器は、前記読み取り手段によって読み取られたユニットディレクトリのバージョンのエントリの値が１で、かつ、当該ユニットディレクトリがディレクトリＩＤのエントリを含んでいる場合、当該ディレクトリＩＤの値をＩＥＥＥ１３９４．３で定められたコネクトのパラメータとして付け加えることを特徴とする請求項３に記載の通信システム。
【請求項５】
前記ターゲット機器は、前記読み取り手段によって読み取られたユニットディレクトリのバージョンのエントリの値が１で、当該ユニットディレクトリがディレクトリＩＤのエントリを含んでいない場合、当該ユニットディレクトリのアドレスをＩＥＥＥ１３９４．３で定められたコネクトのパラメータとして付け加えることを特徴とする請求項３に記載の通信システム。
【請求項６】
前記イニシエータ機器は、前記ターゲット機器からＩＥＥＥ１３９４．３で定められたコネクトのパラメータを受信した場合、付加されたパラメータの有無を判定する機能を更に有することを特徴とする請求項３または４に記載の通信システム。
【請求項７】
前記イニシエータ機器は、前記付加されたパラメータがある場合に、該パラメータで指定されるユニットディレクトリが存在するかどうか確認する第１の確認手段と、前記第１の確認手段によって存在が確認された場合に当該ユニットディレクトリの内容がバージョンのエントリを除いてＩＥＥＥ１３９４．３で定められたイニシエータ用のユニットディレクトリであることを確認する第２の確認手段とを更に有することを特徴とする請求項６に記載の通信システム。
【請求項８】
前記イニシエータ機器は、前記第１の確認手段によって存在が確認されなかった場合、または、第２の確認手段によってＩＥＥＥ１３９４．３で定められたイニシエータ用のユニットディレクトリであることが確認されなかった場合、コネクト拒否を前記ターゲット機器に返すことを特徴とする請求項７に記載の通信システム。
【請求項９】
前記イニシエータ機器は、前記第１の確認手段によって存在が確認され、かつ、前記第２の確認手段によってＩＥＥＥ１３９４．３で定められたイニシエータ用のユニットディレクトリであることが確認された場合、前記パラメータで指定されたサービスＩＤが当該パラメータで指定されたユニットディレクトリによってサポートされているかどうか判定する機能を更に有することを特徴とする請求項７に記載の通信システム。
【請求項１０】
前記イニシエータ機器は、前記第１の確認手段によって存在が確認され、かつ、前記第２の確認手段によってＩＥＥＥ１３９４．３で定められたイニシエータ用のユニットディレクトリであることが確認された場合、前記パラメータで指定されたサービスＩＤが該パラメータで指定されたユニットディレクトリによってサポートされていなければ、コネクト拒否を前記ターゲット機器に返すことを特徴とする請求項９に記載の通信システム。
【請求項１１】
前記イニシエータ機器は、前記第１の確認手段によって存在が確認され、かつ、前記第２の確認手段によってＩＥＥＥ１３９４．３で定められたイニシエータ用のユニットディレクトリであることが確認された場合、前記パラメータで指定されたサービスＩＤが当該パラメータで指定されたユニットディレクトリによってサポートされていれば、コネクトＯＫを前記ターゲット機器に返すことを特徴とする請求項９に記載の通信システム。
【請求項１２】
コンピュータにより、請求項１又は請求項６乃至請求項１１のいずれか１項に記載のイニシエータ機器を実現するためのコンピュータプログラムを格納することを特徴とするコンピュータ可読の記憶媒体。
【請求項１３】
コンピュータにより、請求項１乃至請求項５のいずれか１項に記載のターゲット機器を実現するためのコンピュータプログラムを格納することを特徴とするコンピュータ可読の記憶媒体。
【請求項１４】
少なくともひとつの論理デバイスを有し、論理デバイスごとに提供可能なサービスを管理するイニシエータ機器とともにネットワークに接続された通信制御装置であって、
接続要求により指定されたイニシエータ機器から、論理デバイスとそれに対する接続手順とを示す情報を獲得する獲得手段と、
前記獲得手段により獲得した情報に基づいて、前記イニシエータ機器の有する論理デバイスが、第１の接続手順で接続可能であるかを判定する第１の判定手段と、
前記第１の判定手段により、前記第１の接続手順で接続可能と判定された論理デバイスに対して、その論理デバイスを特定する識別子と、前記接続要求で指定されたサービスの識別子とを指定して、前記イニシエータ機器との間において前記第１の接続手順で接続を確立する接続手段と、
前記接続手段による接続を介して、前記指定した論理デバイスにより、前記指定したサービスを要求する要求手段と
を備えることを特徴とする通信制御装置。
【請求項１５】
前記獲得手段により獲得した情報に基づいて、前記イニシエータ機器の有する論理デバイスが、第２の接続手順で接続可能であるかを判定する第２の判定手段を更に備え、
前記接続手段は、前記第２の判定手段により、前記第２の接続手順で接続可能と判定された論理デバイスに対して、前記接続要求で指定されたサービスの識別子を指定して、前記イニシエータ機器との間において前記第２の接続手順で接続を確立し、
前記要求手段は、前記接続手段による接続を介して前記指定したサービスを要求することを特徴とする請求項１４に記載の通信制御装置。
【請求項１６】
接続要求に応じて、論理デバイスの識別子とサービスの識別子とを指定して、あるいは、サービスの識別子を指定して接続を要求するターゲット機器とともにネットワークに接続された通信制御装置であって、
前記ターゲット機器から接続要求を受けた場合、その要求に論理デバイスを特定する識別子が含まれているか判定する第１の判定手段と、
前記第１の判定手段により前記識別子が含まれていると判定された場合に、該識別子により特定される論理デバイスが、前記接続要求に含まれたサービスの識別子で特定されるサービスを提供するか判定する第２の判定手段と、
前記第２の判定手段によりサービスが提供されると判定された場合に、前記接続要求に応答して接続を確立する接続手段と、
前記接続手段による接続を介して、前記指定された論理デバイスにより、前記指定されたサービスを提供する提供手段と
を備えることを特徴とする通信制御装置。
【請求項１７】
前記第１の判定手段により、前記接続要求に論理デバイスを特定する識別子が含まれていないと判定された場合に、前記接続要求に含まれたサービスの識別子で特定されるサービスを前記通信制御装置が提供するか判定する第３の判定手段を更に備え、
前記接続手段は、前記第３の判定手段によりサービスが提供されると判定された場合にも、前記接続要求に応答して接続を確立し、
前記提供手段は、前記接続手段による接続を介して前記指定されたサービスを提供することを特徴とする請求項１６に記載の通信制御装置。
【請求項１８】
請求項１４または１５に記載の通信制御装置をターゲット機器として、請求項１６または１７に記載の通信制御装置をイニシエータ機器として互いに接続してなることを特徴とする通信システム。
【請求項１９】
少なくともひとつの論理デバイスを有し、論理デバイスごとに提供可能なサービスを管理するイニシエータ機器とともにネットワークに接続された通信制御装置の制御方法であって、
接続要求により指定されたイニシエータ機器から、論理デバイスとそれに対する接続手順とを示す情報を獲得する獲得工程と、
前記獲得工程により獲得した情報に基づいて、前記イニシエータ機器の有する論理デバイスが、第１の接続手順で接続可能であるかを判定する第１の判定工程と、
前記第１の判定工程により、前記第１の接続手順で接続可能と判定された論理デバイスに対して、その論理デバイスを特定する識別子と、前記接続要求で指定されたサービスの識別子とを指定して、前記イニシエータ機器との間において前記第１の接続手順で接続を確立する接続工程と、
前記接続工程による接続を介して、前記指定した論理デバイスにより、前記指定したサービスを要求する要求工程と
を備えることを特徴とする通信制御装置の制御方法。
【請求項２０】
前記獲得工程により獲得した情報に基づいて、前記イニシエータ機器の有する論理デバイスが、第２の接続手順で接続可能であるかを判定する第２の判定工程を更に備え、
前記接続工程は、前記第２の判定工程により、前記第２の接続手順で接続可能と判定された論理デバイスに対して、前記接続要求で指定されたサービスの識別子を指定して、前記イニシエータ機器との間において前記第２の接続手順で接続を確立し、
前記要求工程は、前記接続工程による接続を介して前記指定したサービスを要求することを特徴とする請求項１９に記載の通信制御装置の制御方法。
【請求項２１】
接続要求に応じて、論理デバイスの識別子とサービスの識別子とを指定して、あるいは、サービスの識別子を指定して接続を要求するターゲット機器とともにネットワークに接続された通信制御装置の制御方法であって、
前記ターゲット機器から接続要求を受けた場合、その要求に論理デバイスを特定する識別子が含まれているか判定する第１の判定工程と、
前記第１の判定工程により前記識別子が含まれていると判定された場合に、該識別子により特定される論理デバイスが、前記接続要求に含まれたサービスの識別子で特定されるサービスを提供するか判定する第２の判定工程と、
前記第２の判定工程によりサービスが提供されると判定された場合に、前記接続要求に応答して接続を確立する接続工程と、
前記接続工程による接続を介して、前記指定された論理デバイスにより、前記指定されたサービスを提供する提供工程と
を備えることを特徴とする通信制御装置の制御方法。
【請求項２２】
前記第１の判定工程により、前記接続要求に論理デバイスを特定する識別子が含まれていないと判定された場合に、前記接続要求に含まれたサービスの識別子で特定されるサービスを前記通信制御装置が提供するか判定する第３の判定工程を更に備え、
前記接続工程は、前記第３の判定工程によりサービスが提供されると判定された場合にも、前記接続要求に応答して接続を確立し、
前記提供工程は、前記接続工程による接続を介して前記指定されたサービスを提供することを特徴とする請求項２１に記載の通信制御装置の制御方法。
【請求項２３】
コンピュータにより、請求項１４乃至１７のいずれか１項に記載の通信制御装置を実現するためのコンピュータプログラムを格納することを特徴とするコンピュータ可読の記憶媒体。
【手続補正２】
【補正対象書類名】明細書
【補正対象項目名】００１１
【補正方法】変更
【補正の内容】
【００１１】
複数の電子機器を有する通信システムであって、
ＩＥＥＥ１３９４．３で定められたイニシエータの役割をはたすイニシエータ機器が、
ＩＥＥＥ１３９４．３で定められたバージョンのエントリの値を持つ第１のユニットディレクトリと、
ＩＥＥＥ１３９４．３で定められた値とは異なるバージョンのエントリの値を持つ第２のユニットディレクトリと
を備え、
ＩＥＥＥ１３９４．３で定められたターゲットの役割を果たすターゲット機器が、
前記イニシエータ機器が提供しているサービスを知るために、前記イニシエータ機器が備えている前記第１のユニットディレクトリと前記第２のユニットディレクトリの少なくとも１つを読み取る読み取り手段と、
前記読み取り手段によって前記第１のユニットディレクトリ又は前記第２のユニットディレクトリが読み取られた場合、読み取られたユニットディレクトリのバージョン以外のエントリをＩＥＥＥ１３９４．３の規定にしたがって解析する解析手段とを備える。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】発明の名称
【補正方法】変更
【補正の内容】
【発明の名称】通信制御装置及びその制御方法及び通信システム